(57)【特許請求の範囲】
【請求項１】
壁材の端面に回転可能に取付けられた本体部と、
前記本体部に設けられ、本体部の一方向への回転で構造体の被取付部に設けられたロック部にロックされ、且つ、本体部の他方向への回転で前記ロック部からロック解除可能とされたフック部と、
前記フック部のロック状態から押圧により前記本体部を他方向に回転させる押圧部と、を有するとともに、
前記ロック状態では前記端面と前記被取付部との間に形成される間隙に収納されることを特徴とする壁材取付具。
【請求項２】
前記フック部のロック状態では前記間隙に収納され、且つ、フック部のロック解除状態では間隙から突出される把手部を有することを特徴とする請求項１記載の壁材取付具。
【請求項３】
前記フック部のロック解除状態では前記端面の対応位置に設けられた第一の被係止部に係止可能とされ、且つ、フック部のロック状態では端面の他の対応位置に設けられた第二の被係止部に係止可能とされた係止部を有することを特徴とする請求項１又は請求項２記載の壁材取付具。
【請求項４】
請求項１〜請求項３の何れか１項記載の壁材取付具を用いた壁材取付構造。
【発明の詳細な説明】
【０００１】
【発明の属する技術分野】
本発明は壁材取付具に係り、特に、パネル等の壁材をキャビネット等の構造体に取付ける壁材取付具、及びその壁材取付具を用いた壁材取付構造に関する。
【０００２】
【従来の技術】
キャビネット、保管庫、整理棚等の収納家具類においては、収納部の内壁を構成する化粧板やパネル等を家具本体に取付ける構造のものが多い。従来、このパネル取付けに関しては、図５に示されるように、キャビネット１００の本体１０２に設けられた凹部１０４にパネル１０６を嵌め込んでネジ１０８で固定したり（図５（Ａ））、パネル１１０を凹部１０４に圧入する（図５（Ｂ））などしている。
【０００３】
【発明が解決しようとする課題】
しかしながら、従来のネジ止めや圧入によるパネル取付けでは、作業性が悪く、またキャビネットの組立・解体、あるいはパネル交換等での着脱性も悪い。
【０００４】
一方、このようなキャビネット等では、より大きな収納スペースを確保するため、パネルを取付ける取付部材は収納スペース側に突出しない方が好ましい。
【０００５】
本発明は上記事実を考慮して、パネル等の壁材をキャビネット等の構造体に取付ける際の作業性と着脱性を良好とし、且つ、収納スペース側への突出部分を無くした壁材取付具、及びその壁材取付具を用いた壁材取付構造を提供することを課題とする。
【０００６】
【課題を解決するための手段】
請求項１に記載の発明は、壁材の端面に回転可能に取付けられた本体部と、前記本体部に設けられ、本体部の一方向への回転で構造体の被取付部に設けられたロック部にロックされ、且つ、本体部の他方向への回転で前記ロック部からロック解除可能とされたフック部と、前記フック部のロック状態から押圧により前記本体部を他方向に回転させる押圧部と、を有するとともに、前記ロック状態では前記端面と前記被取付部との間に形成される間隙に収納されることを特徴としている。
【０００７】
請求項１に記載の発明では、壁材取付具は、本体部が壁材の端面に回転可能に取付けられている。壁材を構造体に取付ける際は、壁材を構造体の被取付部に位置合わせして本体部を一方向へ回転させる。すると、本体部に設けられたフック部が被取付部に設けられたロック部にロックして壁材が構造体に取付けられる。また、そのロック状態で押圧部を押圧すると、本体部は他方向へ回転してフック部がロック部からロック解除されるため、構造体から壁材を取外すことができる。
【０００８】
このように、本体部（壁材取付具）を回転させるだけでフック部をロック部にロック及びロック解除させることができ、しかもロック解除操作は押圧部を押圧するだけでよいため、壁材を構造体に取付ける際の取付け作業性と着脱性が良好となる。
【０００９】
さらに上記のロック状態では、本体部、フック部、及び押圧部を含む壁材取付具が、壁材の端面と構造体の被取付部との間に形成される間隙に収納されるため、突出部分がなく美観も良好となる。また、収納家具等の内壁を構成する壁材の取付けでは、物品の収納スペース側に壁材取付具が突出しないため収納スペースが縮小されることもない。
【００１０】
請求項２に記載の発明は、請求項１記載の壁材取付具において、前記フック部のロック状態では前記間隙に収納され、且つ、フック部のロック解除状態では間隙から突出される把手部を有することを特徴としている。
【００１１】
請求項２に記載の発明では、壁材取付具に設けられた把手部は、フック部がロック部にロックした状態、すなわち、壁材が構造体に取付けられた状態では、上記の本体部、フック部、及び押圧部と同様、壁材の端面と構造体の被取付部との間に形成される間隙に収納される。また、本体部が他方向に回転されてロック状態からロック解除状態に変移すると、把手部は間隙から突出する。
【００１２】
これにより、構造体から壁材を取外す際は、把手部を引っ張るなどして容易に取外すことができる。また壁材の取付けにおいても、把手部を押圧すると本体部が一方向に回転してフック部がロック部にロックされるため、より簡単に取付けることができる。
【００１３】
請求項３に記載の発明は、請求項１又は請求項２記載の壁材取付具において、前記フック部のロック解除状態では前記端面の対応位置に設けられた第一の被係止部に係止可能とされ、且つ、フック部のロック状態では端面の他の対応位置に設けられた第二の被係止部に係止可能とされた係止部を有することを特徴としている。
【００１４】
請求項３に記載の発明では、壁材取付具に設けられた係止部は、フック部がロック解除された状態では壁材端面の対応位置に設けられた第一の被係止部に係止して本体部を保持する。これにより、壁材を構造体の被取付部に位置合わせする際は、本体部を手で押さえるなどしてロック解除状態に保持する必要がなく、取付時の作業性が良くなる。
【００１５】
また、その保持状態から本体部を一方向に回転させると、係止部は第一の被係止部から係止解除され、フック部がロック部にロックすると、壁材端面の他の対応位置に設けられた第二の被係止部に係止してクリック感を生じさせる。これにより、フック部がロック部にロックしたことを確実に認識できる。
【００１６】
請求項４に記載の発明は、請求項１〜請求項３の何れか１項記載の壁材取付具を用いた壁材取付構造に適用される。
【００１７】
【発明の実施の形態】
以下、図面を参照して本発明の実施の形態を説明する。図１には、本発明の一実施形態に係るキャビネットとパネルの分解斜視図が示されており、図２には、パネルの拡大斜視図が示されている。
【００１８】
キャビネット１０は、収納スペース１２を設けた箱状の本体１４を備え、本体１４の側壁部分を構成する右側壁ユニット１６及び左側壁ユニット１８にパネル２０が取付けられる。なお、パネルの取付け構造は左右の側壁ユニットで同様であるため、以下、左側壁ユニット１８を用いて説明する。
【００１９】
左側壁ユニット１８は、樹脂製の上フレーム２２及び下フレーム２４と、金属製の前フレーム２６及び後フレーム２８とが図示しないネジで枠状に組立てられ、外側に外パネル３０が取付けられて構成されている。パネル２０は、この左側壁ユニット１８（及び右側壁ユニット１６）の内側に形成された凹部３２に嵌め込まれて取付けられる。
【００２０】
上フレーム２２の下端面には、フレームの奥行き方向に沿って所定の間隔で配置された２個のボス３４が一体的に設けられている。このボス３４には、パネル２０の上端面３６に形成された２個の貫通孔３８が挿入される。
【００２１】
下フレーム２４は、上端面の略中央にボス４０が一体的に設けられ、上端面内側縁には、奥行き方向の中央部分に切欠き４１が形成されたリブ４２が形成されている。
【００２２】
またパネル２０の下端面４４には、奥行き方向略中央に貫通孔４６が形成されており、この貫通孔４６に、パネル２０を凹部３２に取付けるためのクリップ５０が配置される。
【００２３】
以下、このクリップ５０について詳細に説明する。図３（Ａ）、（Ｂ）には、クリップ５０の拡大斜視図が示されている。
【００２４】
クリップ５０は樹脂材料（ＰＯＭ等）による成形品とされ、図示のように、板状の本体部５２を備えている。本体部５２の上面略中央には、貫通孔４６よりも僅かに小径で内部が中空とされた回転軸５４が立設されており、回転軸５４の外周面には、軸心を挟んだ対称位置に２個の突起部５６が設けられている。
【００２５】
突起部５６は、側面視が略三角形とされ、内方（軸心方向）に弾性変形可能な肉厚とされている。また、本体部５２における突起部５６の下方部位には、開口部５７が形成されている。
【００２６】
これにより、パネル２０の貫通孔４６に回転軸５４を挿入すると、突起部５６が貫通孔４６を通過する際に内方に撓み変形し、所定の挿入深さに達したところで元の形状に復帰し貫通孔４６の孔縁に係止して、クリップ５０（本体部５２）はパネル２０の下端面４４に回転可能に取付けられる。
【００２７】
また、本体部５２には平面状とされた側面５８が設けられている。側面５８の一端部には、回転軸５４の軸心から所定の距離に配置されるとともに、側面下縁部分の一部を略円弧状に除肉して形成された凹溝部６０が設けられている。この凹溝部６０に対し回転軸５４の軸心を挟んだ略対称位置（側面５８の他端部側）には、長穴６２を設けて本体部５２から略半円環状に延出した形状の把手部６４が配置されている。
【００２８】
また、回転軸５４の軸心を挟んだ側面５８との略反対側には、平面視が略Ｃ字状とされて凹溝部６０側に向けられたフック部６６が本体部５２に一体的に設けられている。このフック部６６の外周面上端部には、弾性変形可能な板厚で薄板状に突出するストッパー６８が設けられ、ストッパー６８は、上面に半球状のツメ部７０が設けられている。また、フック部６６の基端部内周面から連続的に繋がる本体部５２の外周面所定範囲は、回転軸５４の軸心を中心として円弧状に形成されたガイド面７１とされている。
【００２９】
一方、パネル２０の下端面４４には、ストッパー６８のツメ部７０と対応する位置に、ツメ部７０が係止可能な大きさの小孔７２と、小溝７４が形成されている。小孔７２は、クリップ５０がパネル２０の下端面４４に取付けられ、図２に示すように、把手部６４をパネル２０の表面７６から突出させる向きで、ツメ部７０が係止できる位置に配置されている。また小溝７４は、クリップ５０が回転し側面５８が表面７６と面一になった向きで、ツメ部７０が係止できる位置（下端面４４の縁部）に配置されている。
【００３０】
次に、本実施形態の作用を説明する。
【００３１】
パネル２０をキャビネット１０に取付ける際は、まず、パネル２０の貫通孔４６にクリップ５０の回転軸５４を挿入してクリップ５０をパネル２０の下端面４４に取付ける。図４には、パネル２０の下端面４４に取付けられたクリップ５０のロック及びロック解除動作が示されており、クリップ５０の向きは、図４（Ａ）に示すように、把手部６４をパネル２０の表面７６側に突出させ、ストッパー６８のツメ部７０を下端面４４の小孔７２に係止させた状態とする。これにより、クリップ５０（本体部５２）はその位置に保持されることになる。
【００３２】
次に、パネル上端面３６の貫通孔３８を左側壁ユニット１８に設けられた凹部３２の上部に位置するボス３４に挿入しながら、パネル２０を凹部３２に嵌め込む。この嵌合状態では、パネル２０は下端面４４がリブ４２に接して上下方向に位置決めされ、クリップ５０はリブ４２の中央部分に設けられた切欠き４１に位置して、パネル２０の下端面４４と下フレーム２４の上端面との間に形成される間隙７８に配置される（ロック解除状態）。またボス４０は、クリップ５０に設けられたガイド面７１の一端側に位置している。
【００３３】
この状態で、クリップ５０の側面５８の把手部６４側を図中矢印Ａ方向に押圧すると、ストッパー６８が撓んでツメ部７０は小孔７２から離脱し、クリップ５０は回転軸５４を回転中心として図中矢印Ｂ方向に回転する。そして所定位置まで回転すると、図４（Ｂ）に示すように、フック部６６がボス４０にロックしてパネル２０が固定される（ロック状態）。またこのロックとほぼ同時に、ツメ部７０がストッパー６８の弾性力により小溝７４に係止してクリック感を生じさせる。さらにこの位置では、クリップ５０の本体部５２と、凹溝部６０及び把手部６４が間隙７８に収納され、側面５８はパネル２０の表面７６及び下フレーム２４の内側面に揃えられる。
【００３４】
パネル２０を取外す際は、例えば、硬貨８０等の円盤状の部材を凹溝部６０に押し当てる（図中矢印Ｃ方向）。すると、小溝７４に係止しているツメ部７０がストッパー６８の撓みにより離脱し、クリップ５０は図中矢印Ｄ方向に回転してフック部６６がボス４０からロック解除される。同時に、間隙７８に収納されていた把手部６４は収納スペース１２側に突出し、所定位置まで回転すると、ツメ部７０が小孔７２に係止して図４（Ａ）の状態に戻る。ここで、把手部６４を摘み、図中矢印Ｅ方向に引っ張ると、パネル２０が凹部３２から取外される。
【００３５】
以上説明したように、本実施形態に係るクリップ５０では、パネル２０をキャビネット１０に取付ける際は、パネル２０をキャビネット１０の凹部３２に嵌め込んで一方向へ回転させると、フック部６６が凹部３２に設けられたボス４０にロックしてパネル２０がキャビネット１０に取付けられる。また、そのロック状態で凹溝部６０を硬貨８０等により押圧すると、クリップ５０は他方向へ回転してフック部６６がボス４０からロック解除されるため、パネル２０をキャビネット１０から取外すことができる。
【００３６】
これにより、従来のようなネジ等を用いる取付構造に比べ、取付け作業性と着脱性が良好になる。特に、取付け時は収納スペース１２側に突出する把手部６４を押圧することで容易にロックすることができ、取外しでは、凹溝部６０を押圧してロック解除し把手部６４を引っ張って取外せるため、着脱作業がより簡単になる。
【００３７】
さらに、クリップ５０がロックした状態では、本体部５２とフック部６６に加え、凹溝部６０及び把手部６４も間隙７８に収納されるため、収納スペース１２側への突出部分が無くって美観が良好となり、物品収納スペースが縮小されることもない。
【００３８】
また本実施形態では、フック部６６に設けたストッパー６８のツメ部７０がパネル２０側の小孔７２に係止してクリップ５０がロック解除状態に保持されるため、パネル２０を凹部３２に嵌め込む際の作業性が良くなる。またロック時には、ツメ部７０が小溝７４に係止してクリック感を生じるため、フック部６６がボス４０にロックしたことを容易に認識することができる。
【００３９】
なお、本実施形態では、クリップを回転可能とする回転軸５４がクリップ５０側に、回転軸５４を挿入する貫通孔４６がパネル２０の下端面４４に設けているが、この配置は逆としても構わない。またクリップ５０の取付箇所は、パネル２０の下端面４４に限らず、上端面３６や側端面とすることもできる。またクリップ５０のフック部６６がロックするロック部は、本実施形態のような円柱のボスに限らず、例えば、開口部やラッチ等でも構わない。
【００４０】
さらに、クリップに設けた各機能部の配置についても、本実施の形態に限定されるものではない。例えば、凹溝部６０（押圧部）や把手部６４はフック部６６に一体的に設けることが可能であり、またフック部６６の外周面に設けたストッパー６８も本体部５２に設けるなどとできる。
【００４１】
また本実施形態では、クリップ５０の本体部５２が薄くされていることで凹溝部６０を硬貨８０で押す構造となっているが、板厚を大きくするなどできれば、そのような押圧治具等を用いなくとも指で押すことが可能である。
【００４２】
さらに本発明は、上述したキャビネットへのパネル取付けに限らず、他の収納家具類や建築壁材等における壁材取付具と、その壁材取付構造に適用することができる。
【００４３】
【発明の効果】
本発明の壁材取付具、及びその壁材取付具を用いた壁材取付構造は上記構成としたので、壁材を構造体に取付ける際の作業性と着脱性が良好となり、またキャビネット等においては、収納スペース側への突出部分が無くされて十分な収納スペースを確保することができる。
【図面の簡単な説明】
【図１】本発明の一実施形態に係るキャビネットとパネル、及びクリップを示した分解斜視図である。
【図２】本発明の一実施形態に係るパネルとクリップを拡大した分解斜視図である。
【図３】本発明の一実施形態に係るクリップの拡大斜視図である。
【図４】本発明の一実施形態に係るクリップのロック及びロック解除動作を平面視した説明図である。
【図５】従来のキャビネットにおけるパネル取付けを示した斜視図である。
【符号の説明】
１０        キャビネット（構造体）
２０        パネル（壁材）
３２        凹部（被取付部）
４０        ボス（ロック部）
５０        クリップ（壁材取付具）
５２        本体部
６０        凹溝部（押圧部）
６４        把手部
６６        フック部
７０        ツメ部（係止部）
７２        小孔（第一の被係止部）
７４        小溝（第二の被係止部）
７８        間隙
【図１】
0004201480.tif 000002
【図２】
0004201480.tif 000003
【図３】
0004201480.tif 000004
【図４】
0004201480.tif 000005
【図５】
0004201480.tif 000006